Podtech/llm-jp-corpus-v4-ja_patent huggingface dataset:
【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
浄水カートリッジと、該浄水カートリッジを透過する流量を検出する流量検出手段とを備える浄水器であって、
前記浄水カートリッジが、該浄水カートリッジに水を供給する１次側管路と該浄水カートリッジから水を排水する２次側管路を備えたハウジングに保持され、
前記流量検出手段は、流量センサと磁気検出手段により構成され、
前記磁気検出手段は、前記ハウジングに取り付けられるとともに、前記流量センサは、前記ハウジングに一体成形された流量センサ取付部に取り付けられることを特徴とする浄水器。
【請求項２】
前記流量検出手段が前記浄水カートリッジの２次側管路に設けられたことを特徴とする請求項１に記載の浄水器。
【請求項３】
浄水器形態が蛇口直結型であることを特徴とする請求項１または２に記載の浄水器。
【手続補正書】
【提出日】平成17年2月14日(2005.2.14)
【手続補正１】
【補正対象書類名】明細書
【補正対象項目名】００４４
【補正方法】変更
【補正の内容】
【００４４】
このステップ８００の詳細を図９に従って説明する。図３の破線で示したように、Ｘ軸搬送部５を移動して、カメラ２０をノズル検出位置（Ｘｎ）に移動する（ステップ８０１）。Ｚ軸を操作してノズルの基準孔がカメラ焦点に合うようノズル高さを調整する（ステップ８０２）。カメラで撮影した画像を画像処理することにより、基準孔のマークを判断して基準孔を認識する（ステップ８０３）。マークの判断は、例えば事前にその画像を登録しておき、パターンマッチング法により判断する。なお、マークは基準孔から所定位置に刻んでおくものとし、マークから所定の位置にある孔を基準孔として判断するものとする。カメラ２０の視野中心からの、基準孔の中心位置ΔＸ、ΔＹを測定する（ステップ８０４）。
【手続補正２】
【補正対象書類名】明細書
【補正対象項目名】００４５
【補正方法】変更
【補正の内容】
【００４５】
この結果より、ノズルの位置データは次のように記憶する。ΔＹについては、そのままノズルＹ軸位置ΔＹとして記憶し、カメラ１８により基板の基準溝Ｙ軸方向を位置合わせするときに用いる。つまり、カメラ１８と２０のＹ軸方向の位置は、ステップ２００の基準位置調整にて同じ位置に合わせているので、カメラ１８の視野中心からΔＹずらせた位置に基準溝の位置を合わせることでノズルの基準孔とのＹ軸方向位置合わせが行える。なお、この位置合わせについては、カメラ１８の位置に基板を位置合わせした後に基板をΔＹだけ移動させる方法や、カメラ１８をΔＹ移動してカメラの視野中心に基板を位置合わせする方法などがあり、いずれの方法によってΔＹの位置に基板を移動しても差し支えない。
【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
少なくとも一部を可撓性材料で形成された変形可能な可動部材と、外部へ液体を供給するための液体供給部とを備え、その内部が前記液体供給部以外実質密閉空間として構成され、該密閉空間内に液体を収納する液体収納容器であって、
前記液体供給部には、密閉空間から外部へ液体を供給するに際し、該液体の通過を許可し、該密閉空間への液体又は気体の通過を許可しない液体供給制御用一方向弁が設けられていることを特徴とする液体収納容器。
【請求項２】
前記可動部材は、中央部が前記密閉空間外方に突出する凸形状に形成されていることを特徴とする請求項１に記載の液体収納容器。
【請求項３】
前記液体供給制御用一方向弁は、前記液体供給部に対して着脱自在であることを特徴とする請求項１又は２に記載の液体収納容器。
【請求項４】
前記液体供給制御用一方向弁は、前記密閉空間内の圧力に対する外部の圧力の差が所定の値を越えた時、前記密閉空間から外部に液体を供給することを特徴とする請求項１乃至３のいずれかに記載の液体収納容器。
【請求項５】
請求項１乃至４のいずれかに記載の液体収納容器と液体使用装置とを備える液体供給システムであって、
前記密閉空間内の液体を前記液体使用装置に供給するに際し、前記液体供給制御用一方向弁を介して液体を液体使用装置に通過させることを特徴とする液体供給システム。
【請求項６】
前記液体使用装置は、ジョイントを備え、前記ジョイントが前記液体供給部に一体的に設けられている前記液体供給制御用一方向弁に接続分離可能であることを特徴とする請求項５に記載の液体供給システム。
【請求項７】
請求項１乃至４のいずれかに記載の液体収納容器に接続される液体使用装置であって、
前記密閉空間内から前記液体供給制御用一方向弁を介して供給される液体を使用することを特徴とする液体使用装置。
【請求項８】
少なくとも一部を可撓性材料で形成された変形可能な可動部材と、外部へインクを供給するためのインク供給部とを備え、その内部が前記インク供給部以外実質密閉空間として構成され、該密閉空間内にインクを収納するインクタンクであって、
前記インク供給部には、密閉空間から外部へインクを供給するに際し、該インクの通過を許可し、該密閉空間へのインク又は気体の通過を許可しないインク供給制御用一方向弁が設けられていることを特徴とするインクタンク。
【請求項９】
少なくとも一部を可撓性材料で形成された変形可能な可動部材と、外部へ液体を供給するための液体供給部と、外部から気体を導入するための気体導入部とを備え、その内部が前記液体供給部及び気体導入部以外実質密閉空間として構成され、該密閉空間内に液体を収納する液体収納容器において、前記気体導入部には、密閉空間から外部へ液体を供給するに際し、外部から前記密閉空間への気体の導入を許可しかつ前記密閉空間から外部への気体又は液体の排出を許可しない液体供給制御用一方向弁が設けられていることを特徴とする液体収納容器。
【請求項１０】
少なくとも一部を可撓性材料で形成された変形可能な可動部材と、外部へ液体を供給するための液体供給部と、外部から気体を導入するための気体導入部とを備え、その内部が前記液体供給部及び気体導入部以外実質密閉空間として構成され、該密閉空間内に液体を収納するインクタンクであって、前記気体導入部には、密閉空間から外部へインクを供給するに際し、外部から前記密閉空間への気体の導入を許可しかつ前記密閉空間から外部への気体又はインクの排出を許可しないインク供給制御用一方向弁が設けられていることを特徴とするインクタンク。
【請求項１１】
少なくとも一部を可撓性材料で形成された変形可能な可動部材と、外部へ液体を供給するための液体供給部と、外部から気体を導入するための気体導入部とを備え、その内部が前記液体供給部及び気体導入部以外実質密閉空間として構成され、該密閉空間内に液体を収納する液体収納容器であって、前記液体供給部には、密閉空間から外部へ液体を供給するのに対応し、該液体の通過を許可し、該密閉空間への液体又は気体の通過を許可しない液体供給制御用一方向弁が設けられ、
前記気体導入部には、密閉空間から外部へ液体を供給するのに対応し、外部から前記密閉空間への気体の導入を許可しかつ前記密閉空間から外部への気体又は液体の排出を許可しない液体供給制御用一方向弁が設けられていることを特徴とする液体収納容器。
【手続補正２】
【補正対象書類名】明細書
【補正対象項目名】００２２
【補正方法】削除
【補正の内容】
【手続補正３】
【補正対象書類名】明細書
【補正対象項目名】００２４
【補正方法】変更
【補正の内容】
【００２４】
さらに本発明の上記液体を収納する液体収納容器は、インクタンクであってもよい。
【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
印刷データに基づいて画像データを生成し、当該画像データに基づいた画像を印刷する印刷装置であって、
印刷データに基づいて生成された画像データをライン毎に圧縮する圧縮手段と、
所定のサイズを有する複数のブロックに分割されており、各ブロックにライン毎の圧縮データを格納する格納手段と、
前記圧縮手段による圧縮データが前記格納手段の注目ブロックの容量を越えて格納できないと前記圧縮手段により判断された場合、既に圧縮したライン数と基準となるライン数とを比較し、その比較結果に応じた圧縮方法を決定する決定手段とを備え、
前記圧縮手段は前記決定手段により決定された圧縮方法を用いて前記注目ブロックの次のブロックに格納する圧縮データを生成することを特徴とする印刷装置。
【請求項２】
更に、前記圧縮手段による圧縮データが前記格納手段の容量を越えて格納できないと前記圧縮手段により判断された場合、
前記圧縮手段により生成された圧縮データを伸長する伸長手段と、
前記伸長手段により伸長されたデータを含む画像データに対して解像度変換、階調変換のうち、少なくともひとつの変換を施す変換手段とを備え、
前記変換手段により変換された画像データを前記格納手段に格納することを特徴とする請求項１に記載の印刷装置。
【請求項３】
前記圧縮手段は、夫々異なる圧縮率を実現する複数の圧縮方法をテーブルとして保持しており、
前記決定手段は前記テーブルを参照して、前記比較結果に応じた圧縮方法を決定することを特徴とする請求項１または２に記載の印刷装置。
【請求項４】
前記決定手段は、既に圧縮したライン数ｘと、前記格納手段に前記画像のすべてのラインの圧縮データを格納した場合に１つのブロックあたりに格納されるライン数と既に格納済みのブロックの数とを掛けた値ｙとを比較し、
ｘ＞ｙの場合、より低い圧縮率で圧縮可能な圧縮方法を決定し、ｘ＜ｙの場合、より高い圧縮率で圧縮可能な圧縮方法を決定することを特徴とする請求項１乃至３のいずれか１項に記載の印刷装置。
【請求項５】
印刷データに基づいて画像データを生成し、当該画像データに基づいた画像を印刷する印刷方法であって、
印刷データに基づいて生成された画像データをライン毎に圧縮する圧縮工程と、
所定のサイズを有する複数のブロックに分割されており、各ブロックにライン毎の圧縮データを所定の格納手段に格納する格納工程と、
前記圧縮工程による圧縮データが前記格納手段の注目ブロックの容量を越えて格納できないと前記圧縮工程で判断された場合、既に圧縮したライン数と基準となるライン数とを比較し、その比較結果に応じた圧縮方法を決定する決定工程とを含み、
前記圧縮工程では前記決定工程で決定された圧縮方法を用いて前記注目ブロックの次のブロックに格納する圧縮データを生成することを特徴とする印刷方法。
【請求項６】
更に、前記圧縮工程による圧縮データが前記格納手段の容量を越えて格納できないと前記圧縮工程で判断された場合、
前記圧縮工程で生成された圧縮データを伸長する伸長工程と、
前記伸長工程で伸長されたデータを含む画像データに対して解像度変換、階調変換のうち、少なくともひとつの変換を施す変換工程とを含み、
前記変換工程で変換された画像データを前記格納手段に格納することを特徴とする請求項５に記載の印刷方法。
【請求項７】
前記決定工程では、夫々異なる圧縮率を実現する複数の圧縮方法のテーブルを参照して、前記比較結果に応じた圧縮方法を決定することを特徴とする請求項５または６に記載の印刷方法。
【請求項８】
前記決定工程では、既に圧縮したライン数ｘと、前記格納手段に前記画像のすべてのラインの圧縮データを格納した場合に１つのブロックあたりに格納されるライン数と既に格納済みのブロックの数とを掛けた値ｙとを比較し、
ｘ＞ｙの場合、より低い圧縮率で圧縮可能な圧縮方法を決定し、ｘ＜ｙの場合、より高い圧縮率で圧縮可能な圧縮方法を決定することを特徴とする請求項５乃至７のいずれか１項に記載の印刷方法。
【請求項９】
コンピュータに請求項５乃至８のいずれか１項に記載の印刷方法を実行させることを特徴とするプログラム。
【請求項１０】
請求項９に記載のプログラムを格納することを特徴とする、コンピュータが読み取り可能な記憶媒体。
【手続補正２】
【補正対象書類名】明細書
【補正対象項目名】０００８
【補正方法】変更
【補正の内容】
【０００８】
すなわち、印刷データに基づいて画像データを生成し、当該画像データに基づいた画像を印刷する印刷装置であって、
印刷データに基づいて生成された画像データをライン毎に圧縮する圧縮手段と、
所定のサイズを有する複数のブロックに分割されており、各ブロックにライン毎の圧縮データを格納する格納手段と、
前記圧縮手段による圧縮データが前記格納手段の注目ブロックの容量を越えて格納できないと前記圧縮手段により判断された場合、既に圧縮したライン数と基準となるライン数とを比較し、その比較結果に応じた圧縮方法を決定する決定手段とを備え、
前記圧縮手段は前記決定手段により決定された圧縮方法を用いて前記注目ブロックの次のブロックに格納する圧縮データを生成することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】図面
【補正対象項目名】図３
【補正方法】変更
【補正の内容】
【図３】
2003251869.tif 000001
【手続補正書】
【提出日】平成16年4月13日(2004.4.13)
【手続補正１】
【補正対象書類名】明細書
【補正対象項目名】請求項１
【補正方法】変更
【補正の内容】
【請求項１】
円筒形に形成され外周面にシート材が巻き付けられる版胴を有し、前記版胴の軸回りに回転される回転ドラムにおいて、
前記版胴に設けられ、前記版胴の回転時の径方向への変形を抑制する変形抑制手段を備える、
ことを特徴とする回転ドラム。
【手続補正２】
【補正対象書類名】明細書
【補正対象項目名】０００９
【補正方法】変更
【補正の内容】
【０００９】
【発明を解決するための手段】
請求項１に係る発明の回転ドラムは、円筒形に形成され外周面にシート材が巻き付けられる版胴を有し、前記版胴の軸回りに回転される回転ドラムにおいて、前記版胴に設けられ、前記版胴の回転時の径方向への変形を抑制する変形抑制手段を備えることを特徴としている。
【手続補正書】
【提出日】平成16年7月20日(2004.7.20)
【手続補正１】
【補正対象書類名】明細書
【補正対象項目名】発明の名称
【補正方法】変更
【補正の内容】
【発明の名称】印刷基板の製造方法、製造装置、およびこれらにより作製された太陽電池
【手続補正２】
【補正対象書類名】明細書
【補正対象項目名】特許請求の範囲
【補正方法】変更
【補正の内容】
【特許請求の範囲】
【請求項１】
磁性材料を有するペーストをスクリーンマスクの空隙部を通して被印刷基板の一方の面に押し出す際に同基板の他方の面側からペーストに磁界を作用させることを特徴とする印刷基板の製造方法。
【請求項２】
前記磁界を作用させるに際して、その強度および／または方向を変化させることを特徴とする請求項１に記載の印刷基板の製造方法。
【請求項３】
前記磁界を作用させるに際して、その強度および／または方向を印刷動作と連動して変化させることを特徴とする請求項１に記載の印刷基板の製造方法。
【請求項４】
磁性材料を有するペーストをスクリーンマスクの空隙部を通して被印刷基板に押し出す際にペーストに磁界を作用させるための磁力発生機構を備えていることを特徴とする印刷基板の製造装置。
【請求項５】
前記磁力発生機構が、電磁石であることを特徴とする請求項４に記載の印刷基板の製造装置。
【請求項６】
前記磁力発生機構が、これと被印刷基板との間の距離を変化させることのできるものであることを特徴とする請求項４または５に記載の印刷基板の製造装置。
【請求項７】
太陽電池の受光面電極が、請求項１〜３のいずれか１つに記載の印刷基板の製造方法によって作製されたものであることを特徴とする太陽電池。
【請求項８】
太陽電池の受光面電極が、請求項４〜６のいずれか１つに記載の印刷基板の製造装置によって作製されたものであることを特徴とする太陽電池。
【手続補正３】
【補正対象書類名】明細書
【補正対象項目名】００１３
【補正方法】変更
【補正の内容】
【００１３】
【課題を解決するための手段】
本発明の１つの観点によれば、磁性材料を有するペーストをスクリーンマスクの空隙部を通して被印刷基板の一方の面に押し出す際に同基板の他方の面側からペーストに磁界を作用させることを特徴とする印刷基板の製造方法が提供される。
【手続補正４】
【補正対象書類名】明細書
【補正対象項目名】００２３
【補正方法】変更
【補正の内容】
【００２３】
本発明の別の観点によれば、磁性材料を有するペーストをスクリーンマスクの空隙部を通して被印刷基板に押し出す際にペーストに磁界を作用させるための磁力発生機構を備えていることを特徴とする印刷基板の製造装置が提供される。
【手続補正５】
【補正対象書類名】明細書
【補正対象項目名】００２６
【補正方法】変更
【補正の内容】
【００２６】
前記磁力発生機構は、電磁石であるのが好ましい。
【手続補正６】
【補正対象書類名】明細書
【補正対象項目名】００２８
【補正方法】変更
【補正の内容】
【００２８】
前記磁力発生機構は、これと被印刷基板との間の距離を変化させることのできるものであるのが好ましい。
【手続補正７】
【補正対象書類名】明細書
【補正対象項目名】００２９
【補正方法】変更
【補正の内容】
【００２９】
磁力発生機構が、磁力発生機構と被印刷基板との間の距離を変化させることができるように設けられている場合には、被印刷基板上のペーストを引き付ける磁力の強度を簡単に調節することができる。
【手続補正８】
【補正対象書類名】明細書
【補正対象項目名】００３０
【補正方法】変更
【補正の内容】
【００３０】
本発明に係る印刷基板の製造方法および製造装置では、スクリーンマスクの空隙部を通して被印刷基板に押し出されることで同基板に所望の印刷パターンを形成するための印刷用ペーストであって、導電性材料および磁性材料を含むペーストが用いられる。
【手続補正９】
【補正対象書類名】明細書
【補正対象項目名】００３６
【補正方法】変更
【補正の内容】
【００３６】
本発明のさらに別の観点によれば、太陽電池の受光面電極が、本発明の１つの観点に係る前記製造方法、あるいは本発明の別の観点に係る前記製造装置によって作製されたことを特徴とする太陽電池が提供される。
【手続補正１０】
【補正対象書類名】明細書
【補正対象項目名】００５９
【補正方法】変更
【補正の内容】
【００５９】
【発明の効果】
本発明に係る印刷基板の製造方法は、磁性材料を有するペーストをスクリーンマスクの空隙部を通して被印刷基板の一方の面に押し出す際に同基板の他方の面側からペーストに磁界を作用させることを特徴とする。
【手続補正１１】
【補正対象書類名】明細書
【補正対象項目名】００６１
【補正方法】変更
【補正の内容】
【００６１】
本発明に係る印刷基板の製造装置は、磁性材料を有するペーストをスクリーンマスクの空隙部を通して被印刷基板に押し出す際にペーストに磁界を作用させるための磁力発生機構を備えていることを特徴とする。
【手続補正１２】
【補正対象書類名】明細書
【補正対象項目名】００６３
【補正方法】変更
【補正の内容】
【００６３】
本発明に係る太陽電池は、太陽電池の受光面電極が、本発明に係る前記製造方法あるいは前記製造装置によって作製されたことを特徴とする。したがって、これらの太陽電池によれば、高精度の印刷配線を得ることができるので、太陽電池に要求される基本電池性能が優れている。
【手続補正１３】
【補正対象書類名】明細書
【補正対象項目名】００６４
【補正方法】削除
【補正の内容】
【手続補正書】
【提出日】平成16年9月9日(2004.9.9)
【手続補正１】
【補正対象書類名】明細書
【補正対象項目名】発明の名称
【補正方法】変更
【補正の内容】
【発明の名称】電動工具
【手続補正２】
【補正対象書類名】明細書
【補正対象項目名】特許請求の範囲
【補正方法】変更
【補正の内容】
【特許請求の範囲】
【請求項１】
電動工具に接続されたコードと、該コードに接続する延長コードと、電動工具の外枠に設けられ、前記延長コードを保持し前記コードと延長コードの離脱を防止する係止部と開口部からなるコードフック部とを有する電動工具において、前記コードフック部に離脱防止装置を設けたことを特徴とする電動工具。
【請求項２】
前記離脱防止装置として、前記開口部を構成するコード室とコード挿入部の間に段差を設けたことを特徴とする請求項1記載の電動工具。
【手続補正３】
【補正対象書類名】明細書
【補正対象項目名】０００１
【補正方法】変更
【補正の内容】
【０００１】
【発明の属する技術分野】
本発明は、延長用コードを使用して電源に接続する電動工具に関するものである。
【手続補正書】
【提出日】平成17年2月8日(2005.2.8)
【手続補正１】
【補正対象書類名】明細書
【補正対象項目名】特許請求の範囲
【補正方法】変更
【補正の内容】
【特許請求の範囲】
【請求項１】
易重合性物質を合成、精製、保持または流通する易重合性物質取扱装置であって、
該易重合性物質取扱装置の内面の易重合性物質の接触する箇所には、形成された溶接線の余盛りや溶接痕を削り取る平滑化処理が施されていることを特徴とする易重合性物質取扱装置。
【請求項２】
請求項１記載の易重合性物取扱装置を用いて易重合性物質を合成、精製、保持または流通する易重合性物質取扱方法。
【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
イソブタンを気相接触酸化してメタクロレインおよび／またはメタクリル酸を製造する際に用いられる触媒であって、
モリブデンを含有し、モリブデン３ｄ５軌道の結合エネルギーのピーク値が、三酸化モリブデン中のモリブデン３ｄ５軌道の結合エネルギーのピーク値より０．２ｅＶ以上高エネルギーである化合物を含むことを特徴とするメタクロレインおよび／またはメタクリル酸製造用触媒。
【請求項２】
下記の成分（Ａ）および成分（Ｂ）を含む請求項１に記載のメタクロレインおよび／またはメタクリル酸製造用触媒。
成分（Ａ）：下記式（１）で表わされる固体酸
ＰａＭｏｂＡｃＸｄＹｅＺｆＯｇ      （１）
（式（１）中、Ｐ、ＭｏおよびＯはそれぞれリン、モリブデンおよび酸素を示し、Ａはバナジウムおよび銅からなる群より選ばれた少なくとも１種類の元素を示し、Ｘはアンチモン、ビスマス、砒素、ゲルマニウム、テルル、銀、セレン、ケイ素、タングステンおよびホウ素からなる群より選ばれた少なくとも１種類の元素を示し、Ｙは鉄、亜鉛、クロム、マグネシウム、タンタル、コバルト、マンガン、バリウム、ガリウム、セリウムおよびランタンからなる群より選ばれた少なくとも１種類の元素を示し、Ｚはカリウム、ルビジウム、セシウムおよびタリウムからなる群より選ばれた少なくとも１種類の元素を示す。ａ、ｂ、ｃ、ｄ、ｅ、ｆおよびｇは各元素の原子比率を表し、ｂ＝１２のときａ＝０．１〜３、ｃ＝０〜３、ｄ＝０〜３、ｅ＝０〜３、ｆ＝０〜３であり、ｇは前記各成分の原子価を満足するのに必要な酸素の原子比率である。）
成分（Ｂ）：下記式（２）で表わされる酸化物
ＭｏｈＤｉＯｊ      （２）
（式（２）中、ＭｏおよびＯはそれぞれモリブデンおよび酸素を示し、Ｄはバナジウム、ニオブ、ニッケル、アンチモン、ビスマス、鉄およびジルコニウムからなる群より選ばれた少なくとも１種類の元素を示す。ｈ、ｉおよびｊは各元素の原子比率を表し、ｈ＝１のときｉ＝０．０１〜３であり、ｊは前記各成分の原子価を満足するのに必要な酸素の原子比率である。）
【請求項３】
前記成分（Ｂ）の含有量が、前記成分（Ａ）１００質量部に対して１〜６０質量部である請求項２に記載のメタクロレインおよび／またはメタクリル酸製造用触媒。
【請求項４】
平均粒径が０．１〜３μｍである請求項１〜３のいずれかに記載のメタクロレインおよび／またはメタクリル酸製造用触媒。
【請求項５】
前記成分（Ａ）を含む水溶液または水性スラリーと前記成分（Ｂ）とを混合し、含まれる粒子の平均粒径が３μｍ以下の混合物を調製する工程と、
この混合物を乾燥、焼成する工程と
を有する請求項２〜４のいずれかに記載のメタクロレインおよび／またはメタクリル酸製造用触媒を製造する方法。
【請求項６】
請求項１〜４のいずれかに記載のメタクロレインおよび／またはメタクリル酸製造用触媒の存在下でイソブタンを気相接触酸化し、メタクロレインおよび／またはメタクリル酸を製造する方法。
【手続補正書】
【提出日】平成16年3月11日(2004.3.11)
【手続補正１】
【補正対象書類名】明細書
【補正対象項目名】特許請求の範囲
【補正方法】変更
【補正の内容】
【特許請求の範囲】
【請求項１】
排ガス吸入口及び排ガス吐出口を有するケーシングと、前記ケーシング内に配置されるとともに回転軸に支持された羽根車と、洗浄液を噴出するノズルとを備え、前記羽根車を回転させて前記排ガス吸入口を介してダストを含む排ガスを吸入し、前記ノズルから噴出させた洗浄液に排ガス中のダストを捕捉させて排ガス中に含まれるダストを除去するファンスクラバーにおいて、
前記羽根車の周囲に前記羽根車から出た排ガス及び洗浄液が衝突する複数の衝突板を設け、前記複数の衝突板を前記回転軸方向において交互にずらして配置したことを特徴とするファンスクラバー。
【請求項２】
前記衝突板に、洗浄液の水はけを良くするための切り欠きを設けたことを特徴とする請求項１に記載のファンスクラバー。
【請求項３】
排ガス吸入口及び排ガス吐出口を有するケーシングと、前記ケーシング内に配置されるとともに回転軸に支持された羽根車と、洗浄液を噴出するノズルとを備え、前記羽根車を回転させて前記排ガス吸入口を介してダストを含む排ガスを吸入し、前記ノズルから噴出させた洗浄液に排ガス中のダストを捕捉させて排ガス中に含まれるダストを除去するファンスクラバーにおいて、
前記排ガス吸入口の上流側の排ガス配管に、前記排ガス吸入口に向かって下降する傾斜部を設け、前記排ガス配管の内部に向けて洗浄水を噴出する洗浄水噴出口を設けたことを特徴とするファンスクラバー。
【請求項４】
前記排ガス吐出口を、前記羽根車の垂直方向にある位置に設けたことを特徴とする請求項１乃至３のいずれかに記載のファンスクラバー。
【請求項５】
前記羽根車の中心部に、周囲に多数の孔が形成された筒体を、その一端が該羽根車の内側面で閉塞されるように取り付け、他端を蓋体で閉塞すると共に、前記ノズルを挿入するノズル挿入口を前記蓋体に設け、該ノズル挿入口に洗浄液を噴出する前記ノズルを挿入配置したことを特徴とする請求項１乃至４のいずれかに記載のファンスクラバー。
【請求項６】
前記回転軸を回転駆動する駆動源と前記ケーシングとの間に、前記駆動源に洗浄液が入り込むことを防止するためのシールを設けると共に、前記シールを通過して漏洩した洗浄液の漏洩量を確認する漏洩量確認手段を設けたことを特徴とする請求項１乃至５のいずれかに記載のファンスクラバー。
【請求項７】
前記漏洩量確認手段は、透明な容器を備えていることを特徴とする請求項６に記載のファンスクラバー。
【請求項８】
前記漏洩量確認手段は、漏水センサを備えていることを特徴とする請求項６に記載のファンスクラバー。
【請求項９】
前記排ガス吸入口と前記羽根車との間のクリアランスの大きさを変更可能としたことを特徴とする請求項１乃至８のいずれかに記載のファンスクラバー。
【請求項１０】
排ガス吸入口及び排ガス吐出口を有するケーシングと、前記ケーシング内に配置されるとともに回転軸に支持された羽根車と、洗浄液を噴出するノズルとを備え、前記羽根車を回転させて前記排ガス吸入口を介してダストを含む排ガスを吸入し、前記ノズルから噴出させた洗浄液に排ガス中のダストを捕捉させて排ガス中に含まれるダストを除去するファンスクラバーを備えた排ガス処理装置において、
前記羽根車の周囲に前記羽根車から出た排ガス及び洗浄液が衝突する衝突板を設け、前記排ガス吐出口の下流側に、排ガス中に含まれるミストを捕集するためのミストキャッチャーを設置し、前記ミストキャッチャーの下流側に、排ガスを所定温度以下に冷却するための熱交換器を設置したことを特徴とする排ガス処理装置。
【請求項１１】
前記ミストキャッチャーは、内部に配置された邪魔板により排ガス中のミストを捕集することを特徴とする請求項１０に記載の排ガス処理装置。
【請求項１２】
前記排ガス吸入口の上流側の排ガス配管に、前記排ガス吸入口に向かって下降する傾斜部を設け、前記排ガス配管の内部に向けて洗浄水を噴出する洗浄水噴出口を設けたことを特徴とする請求項１０又は１１に記載の排ガス処理装置。
【請求項１３】
前記ミストキャッチャー又は前記熱交換器の下流側の排ガス中に希釈ガスを供給する希釈ガス供給手段を設けたことを特徴とする請求項１０乃至１２のいずれかに記載の排ガス処理装置。
【手続補正２】
【補正対象書類名】明細書
【補正対象項目名】００１４
【補正方法】変更
【補正の内容】
【００１４】
【課題を解決するための手段】
上述の目的を達成するために、本発明に係るファンスクラバーの一態様は、排ガス吸入口及び排ガス吐出口を有するケーシングと、前記ケーシング内に配置されるとともに回転軸に支持された羽根車と、洗浄液を噴出するノズルとを備え、前記羽根車を回転させて前記排ガス吸入口を介してダストを含む排ガスを吸入し、前記ノズルから噴出させた洗浄液に排ガス中のダストを捕捉させて排ガス中に含まれるダストを除去するファンスクラバーにおいて、前記羽根車の周囲に前記羽根車から出た排ガス及び洗浄液が衝突する複数の衝突板を設け、前記複数の衝突板を前記回転軸方向において交互にずらして配置したことを特徴とする。


【手続補正３】
【補正対象書類名】明細書
【補正対象項目名】００２０
【補正方法】変更
【補正の内容】
【００２０】
本発明に係る排ガス処理装置の一態様は、排ガス吸入口及び排ガス吐出口を有するケーシングと、前記ケーシング内に配置されるとともに回転軸に支持された羽根車と、洗浄液を噴出するノズルとを備え、前記羽根車を回転させて前記排ガス吸入口を介してダストを含む排ガスを吸入し、前記ノズルから噴出させた洗浄液に排ガス中のダストを捕捉させて排ガス中に含まれるダストを除去するファンスクラバーを備えた排ガス処理装置において、前記羽根車の周囲に前記羽根車から出た排ガス及び洗浄液が衝突する衝突板を設け、前記排ガス吐出口の下流側に、排ガス中に含まれるミストを捕集するためのミストキャッチャーを設置し、前記ミストキャッチャーの下流側に、排ガスを所定温度以下に冷却するための熱交換器を設置したことを特徴とする。
【手続補正書】
【提出日】平成17年2月21日(2005.2.21)
【手続補正１】
【補正対象書類名】明細書
【補正対象項目名】請求項４
【補正方法】変更
【補正の内容】
【請求項４】
前記第２始動検出記憶実行手段が実行される場合には、前記図柄表示制御手段が実行する図柄を変動表示した後に停止させて確定表示させるのに要する所定の時間を短縮する図柄変動表示時間短縮手段を備えたことを特徴とする請求項１乃至請求項３の何れかに記載の遊技機。
【手続補正２】
【補正対象書類名】明細書
【補正対象項目名】００２３
【補正方法】変更
【補正の内容】
【００２３】
また、請求項４に記載した遊技機は、請求項１乃至請求項３の何れかに記載の遊技機において、前記第２始動検出記憶実行手段が実行される場合には、前記図柄表示制御手段が実行する図柄を変動表示した後に停止させて確定表示させるのに要する所定の時間を短縮する図柄変動表示時間短縮手段を備えたことを特徴とする。
【手続補正３】
【補正対象書類名】明細書
【補正対象項目名】００２６
【補正方法】変更
【補正の内容】
【００２６】
このように請求項４の発明では、請求項１乃至請求項３の発明に加え、図柄変動表示時間短縮手段が、第２始動検出記憶実行手段が実行される場合には、図柄表示制御手段が実行する図柄を変動表示した後に停止させて確定表示させるのに要する所定の時間を短縮するので、従って遊技者は、図柄表示制御手段にて図柄表示器等に確定表示される時間が短縮され、延いては特別遊技を発生させるまでの時間が短縮されることになるので、短時間でも期待できる遊技を行うことができ、遊技の趣興性が高められる。
【手続補正４】
【補正対象書類名】明細書
【補正対象項目名】０１０９
【補正方法】変更
【補正の内容】
【０１０９】
そして、Ｓ５１でＮＯ、即ちカウンタＢが５の値のときには、Ｓ５０に戻って、始動入賞検出装置１１６が遊技球を検出するまで待機する。Ｓ５１でＹＥＳ、即ちカウンタＢが０〜４の値のときには、Ｓ５２へ移行して、ＣＰＵ１０２は前記した始動入賞検出信号を基に、カウンタＢの値をインクリメント（１加算する）する。次に、Ｓ５３へ移行し、大当り、外れを決定する大当り乱数を作成する。この乱数は、０〜３５０で構成され、そのうちの７が当り乱数となっている（大当り確率１／３５１）。なお、この大当り確率（１／３５１）は、適宜手段にて、直接的に、あるいは間接的に遊技者に報知しても良い。
【手続補正５】
【補正対象書類名】明細書
【補正対象項目名】０１１５
【補正方法】変更
【補正の内容】
【０１１５】
ここで、各図柄表示部８、９、１０が変動表示開始から停止するまでの時間は、各々違っており、変動表示開始のときには各図柄表示部８、９、１０は各々同時に行い、変動表示を停止するときには、まず図柄表示部８が停止し、次に図柄表示部１０が停止し、最後に図柄表示部９が停止するようになっている。そして、図柄表示部８と次に図柄表示部１０が停止した段階で、両者が同じ特別図柄であった場合には所謂リーチとなり、この場合には特別図柄表示器６にてキャラクタ等を使用して遊技者の興趣をそそる様々な演出（リーチアクション）が行われる。なお、各図柄表示部８、９、１０が変動表示開始から停止するまでの態様は、前記した以外であっても良く、様々な態様が考えられる。例えば、各図柄表示部８、９、１０が変動表示を開始するときに、時間差を設けても良いし、各図柄表示部８、９、１０が変動表示を停止するとき、同時に停止させても良いし、さらに各図柄表示部８、９、１０が変動表示を開始する順序を変えても良い。このように様々な態様を混在さることで、遊技性を向上させることができる。
【手続補正書】
【提出日】平成17年2月3日(2005.2.3)
【手続補正１】
【補正対象書類名】明細書
【補正対象項目名】００１９
【補正方法】変更
【補正の内容】
【００１９】
図５（ａ）〜（ｃ）は、大当り発生時の透明ＥＬディスプレイ２２の表示形態を例示した説明図である。図５（ａ）は、大当り後ラウンド数の抽選を行なう演出表示を示したもので、透明ＥＬディスプレイ２２の全面に「ラウンド数抽選及び抽選中」の文字が表示されるとともに、その旨の音声が出力される。図５（ｂ）及び（ｃ）は、他の大当り発生時の透明ＥＬディスプレイ２２の表示形態を示したもので、図５（ｂ）は可変入賞球装置４１の大当り用入賞口４３及び通常の入賞口４４を視認できるように、所定位置に花火表示５１や吹き出し表示５２を演出して、その中にカウント数やラウンド数の数字表示を重ねて表示するようにしたものである。また、図５（ｃ）は、可変入賞球装置４１の大当り用入賞口４３及び通常の入賞口４４を視認できるように、透明ＥＬディスプレイ２２の上部のみで、所定の演出表示をするようにしたものである。何れの場合も表示形態に合った音声が出力される。
【手続補正書】
【提出日】平成16年9月7日(2004.9.7)
【手続補正１】
【補正対象書類名】明細書
【補正対象項目名】請求項１
【補正方法】変更
【補正の内容】
【請求項１】
コンテンツの再生処理および記録処理の少なくとも何れか一方を行う処理手段と、
上記処理手段において処理されるコンテンツに付随した特定の情報、当該コンテンツが処理される時に関する情報、または当該コンテンツが処理される場所に関する情報の少なくとも何れか１つに応じて、当該コンテンツに対応した仮想のキャラクタを形成するためのキャラクタ情報を生成するキャラクタ情報生成手段とを有し、
上記処理手段は、当該コンテンツに対応して生成された上記キャラクタ情報を当該コンテンツとともに再生する処理および記録する処理の少なくとも何れか一方を行う、
コンテンツ処理装置。
【手続補正２】
【補正対象書類名】明細書
【補正対象項目名】請求項１４
【補正方法】変更
【補正の内容】
【請求項１４】
コンテンツの再生処理および記録処理の少なくとも何れか一方を行うコンテンツ処理方法であって、
処理されるコンテンツに付随した特定の情報、当該コンテンツが処理される時に関する情報、または当該コンテンツが処理される場所に関する情報の少なくとも何れか１つに応じて、当該コンテンツに対応した仮想のキャラクタを形成するためのキャラクタ情報を生成し、
当該コンテンツに対応して生成された上記キャラクタ情報を当該コンテンツとともに再生する処理および記録する処理の少なくとも何れか一方を行う、
コンテンツ処理方法。
【手続補正３】
【補正対象書類名】明細書
【補正対象項目名】請求項２７
【補正方法】変更
【補正の内容】
【請求項２７】
コンテンツの再生処理および記録処理の少なくとも何れか一方を行うコンテンツ処理装置のプログラムであって、
処理されるコンテンツに付随した特定の情報、当該コンテンツが処理される時に関する情報、または当該コンテンツが処理される場所に関する情報の少なくとも何れか１つに応じて、当該コンテンツに対応した仮想のキャラクタを形成するためのキャラクタ情報を生成するステップと、
当該コンテンツに対応して生成された上記キャラクタ情報を当該コンテンツとともに再生する処理および記録する処理の少なくとも何れか一方を行うステップと、
を有するプログラム。
【手続補正４】
【補正対象書類名】明細書
【補正対象項目名】０００２
【補正方法】変更
【補正の内容】
【０００２】
【従来の技術】
仮想のキャラクタを育成してその成長過程を楽しむキャラクタ育成ゲームが、近年様々な形で具体化されている。例えば、液晶パネル上に表示されるキャラクタに餌を与えたり、運動を行わせたりするなどの飼育作業を反復することによってキャラクタを育成する携帯型のゲーム機や、育成するキャラクタとの対話が可能なパーソナルコンピュータのアプリケーションソフトなどがある。
【手続補正５】
【補正対象書類名】明細書
【補正対象項目名】０００７
【補正方法】変更
【補正の内容】
【０００７】
【課題を解決するための手段】
上記の目的を達成するため、本発明の第１の観点に係るコンテンツ処理装置は、コンテンツの再生処理および記録処理の少なくとも何れか一方を行う処理手段と、上記処理手段において処理されるコンテンツに付随した特定の情報、当該コンテンツが処理される時に関する情報、または当該コンテンツが処理される場所に関する情報の少なくとも何れか１つに応じて、当該コンテンツに対応した仮想のキャラクタを形成するためのキャラクタ情報を生成するキャラクタ情報生成手段とを有し、上記処理手段は、当該コンテンツに対応して生成された上記キャラクタ情報を当該コンテンツとともに再生する処理および記録する処理の少なくとも何れか一方を行う。
なお、本明細書中でいうコンテンツは、例えば音楽情報や動画情報、書籍情報、ゲームのプログラムなど、その提供者からユーザへ提供され、ユーザによって利用される際の単位となる一連の情報を広く一般に指すものである。
【手続補正６】
【補正対象書類名】明細書
【補正対象項目名】０００８
【補正方法】変更
【補正の内容】
【０００８】
本発明の第１の観点に係るコンテンツ処理装置によれば、上記キャラクタ情報生成手段において、上記処理手段で処理されるコンテンツに付随した特定の情報、当該コンテンツが処理される時に関する情報、または当該コンテンツが処理される場所に関する情報の少なくとも何れか１つに応じて、当該コンテンツに対応した仮想のキャラクタを形成するためのキャラクタ情報が生成される。上記処理手段においては、当該コンテンツに対応して生成された上記キャラクタ情報を当該コンテンツとともに再生する処理および記録する処理の少なくとも何れか一方が行なわれる。
【手続補正７】
【補正対象書類名】明細書
【補正対象項目名】００１０
【補正方法】変更
【補正の内容】
【００１０】
本発明の第２の観点に係るコンテンツ処理方法は、コンテンツの再生処理および記録処理の少なくとも何れか一方を行うコンテンツ処理方法であって、処理されるコンテンツに付随した特定の情報、当該コンテンツが処理される時に関する情報、または当該コンテンツが処理される場所に関する情報の少なくとも何れか１つに応じて、当該コンテンツに対応した仮想のキャラクタを形成するためのキャラクタ情報を生成し、当該コンテンツに対応して生成された上記キャラクタ情報を当該コンテンツとともに再生する処理および記録する処理の少なくとも何れか一方を行う。
好適には、上記キャラクタ情報の生成において、キャラクタの所有者を識別するための識別情報を含んだキャラクタ情報を生成する。
【手続補正８】
【補正対象書類名】明細書
【補正対象項目名】００１１
【補正方法】変更
【補正の内容】
【００１１】
本発明の第３の観点に係るプログラムは、コンテンツの再生処理および記録処理の少なくとも何れか一方を行うコンテンツ処理装置のプログラムであって処理されるコンテンツに付随した特定の情報、当該コンテンツが処理される時に関する情報、または当該コンテンツが処理される場所に関する情報の少なくとも何れか１つに応じて、当該コンテンツに対応した仮想のキャラクタを形成するためのキャラクタ情報を生成するステップと、当該コンテンツに対応して生成された上記キャラクタ情報を当該コンテンツとともに再生する処理および記録する処理の少なくとも何れか一方を行うステップとを有する。
好適には、上記キャラクタ情報を生成するステップにおいて、キャラクタの所有者を識別するための識別情報を含んだキャラクタ情報を生成する。
【手続補正書】
【提出日】平成17年2月3日(2005.2.3)
【手続補正１】
【補正対象書類名】明細書
【補正対象項目名】請求項２
【補正方法】変更
【補正の内容】
【請求項２】
撮像された画像データとともに取り込まれる音声データを入力する音声データ入力手段と、音声データ記憶手段と、音声データを処理して音声を出力する音声出力手段とを備え、画像を前記表示手段に表示する際、音声を出力するようにしたことを特徴とする請求項１に記載の遊技機用データ表示装置。
【手続補正２】
【補正対象書類名】明細書
【補正対象項目名】０００５
【補正方法】変更
【補正の内容】
【０００５】
また、請求項２に記載の遊技機用データ表示装置は、請求項１に記載の構成において、撮像された画像データとともに取り込まれる音声データを入力する音声データ入力手段と、音声データ記憶手段と、音声データを処理して音声を出力する音声出力手段とを備え、画像を前記表示手段に表示する際、音声を出力するようにしたことを特徴とする。
【手続補正３】
【補正対象書類名】明細書
【補正対象項目名】０００７
【補正方法】変更
【補正の内容】
【０００７】
請求項２に記載の遊技機用データ表示装置によれば、撮像された画像データとともに取り込まれる音声データが、画像の表示の際音声出力手段により処理されて出力されるから、遊技の興趣が高まり遊技意欲をより一層向上することができる。
【手続補正書】
【提出日】平成16年6月18日(2004.6.18)
【手続補正１】
【補正対象書類名】明細書
【補正対象項目名】００３３
【補正方法】変更
【補正の内容】
【００３３】
光沢度調整層の形成
次いで、下記配合の材料を水に溶解・分散した塗液を上記インク受容層上に塗布
・乾燥することによって光沢度調整層を積層して設けた。
［光沢度調整層の配合］
・バインダー樹脂・・・・・表１の共重合成分を有する共重合体        ５部
・顔料・・・・・・・・・・コロイダルシリカ（日産化学社製；商品名スノー
テックスＵＰ）
【手続補正書】
【提出日】平成17年9月16日(2005.9.16)
【手続補正１】
【補正対象書類名】明細書
【補正対象項目名】００２５
【補正方法】変更
【補正の内容】
【００２５】
本実施例においては、第２の熱溶融性インク層の融点は、遮光層形成層熱溶融性樹脂の融点より低いことが好ましい。第２層のインク層を転写する際に、遮光層形成層の熱溶融性樹脂を再溶融させることがなく、よりくっきりとした黒画像が得られる。
【手続補正書】
【提出日】平成16年6月21日(2004.6.21)
【手続補正１】
【補正対象書類名】明細書
【補正対象項目名】発明の名称
【補正方法】変更
【補正の内容】
【発明の名称】インクジェット記録シート
【手続補正２】
【補正対象書類名】明細書
【補正対象項目名】特許請求の範囲
【補正方法】変更
【補正の内容】
【特許請求の範囲】
【請求項１】
支持体の片面に、少なくともその最表層がキャスト処理によって光沢発現処理された１層以上のインク受理層、支持体のインク受理層とは反対面に１層以上の裏塗り層を有するインクジェット記録シートにおいて、支持体上にインク受理層および裏塗り層を設けた後、該キャスト処理を行うことを特徴とするインクジェット記録シート。
【請求項２】
該インク受理層に画像を印字した後、該インク受理層の最表層上に記録保護層を設けるインクジェット記録方法を適用されるインクジェット記録シートにおいて、該裏塗り層がガスバリア性を有する請求項１記載のインクジェット記録シート。
【請求項３】
該裏塗り層がセルロース誘導体を含有する請求項１または２記載のインクジェット記録シート。
【請求項４】
該セルロース誘導体がセルロースエーテルである請求項３記載のインクジェット記録シート。
【請求項５】
該裏塗り層がポリビニルアルコールを含有する請求項１または２記載のインクジェット記録シート。
【請求項６】
該ポリビニルアルコールのケン化度が６５％以上９０％以下である請求項５記載のインクジェット記録シート。
【請求項７】
裏塗り層に含有されるセルロース誘導体またはポリビニルアルコールの比率が、乾燥固形分比率で４０％以上である請求項３または５記載のインクジェット記録シート。
【手続補正書】
【提出日】平成16年5月7日(2004.5.7)
【手続補正１】
【補正対象書類名】明細書
【補正対象項目名】特許請求の範囲
【補正方法】変更
【補正の内容】
【特許請求の範囲】
【請求項１】
光透過性支持体の片面に少なくとも１層のインク受容層を設け、反対面に少なくとも１層のコロイダルシリカ、親水性バインダー、および架橋剤を含有する裏塗り層を設けたインクジェット記録材料において、該裏塗り層が、親水性バインダーをコロイダルシリカに対して固形分で５０〜３００質量％、架橋剤を親水性バインダーに対して固形分で８〜２０質量％含有しており、空隙率が７０容量％以下であることを特徴とするインクジェット記録材料。
【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】
貫通した案内穴を有するワークピースに穴をカットするためのパンチであって、パンチ本体と、ワークピースをカットするためのカッター手段と、前記パンチ本体をワークピースの開口で心出しするための心出手段とを備え、前記カッター手段は、前記パンチ本体から所定の距離だけ延び、前記心出手段は、前記パンチ本体から所定の距離だけ延び、前記心出手段は、前記パンチ本体から、前記カッター手段よりも大きな距離延び、これにより、前記心出手段は、前記カッター手段がワークピースをカットすることに先行して、ワークピースの案内穴に入り、
前記カッター手段は、ワークピースを穿孔するための一対の穿孔部と、該穿孔部がワークピースを穿孔した後に、ワークピースを剪断するための一対のカッター部と、を備えており、前記心出手段は、互いに反対側に配置された第１及び第２の突起を有し、前記パンチ本体は、そこを貫通した軸穴を有し、前記第１及び第２の突起は、前記パンチ本体の前記軸穴に隣接して配置されていることを特徴とするパンチ。
【請求項２】
貫通した案内穴を有するワークピースに穴をカットするためのパンチであって、パンチ本体と、ワークピースをカットするためのカッター手段と、前記パンチ本体をワークピースの開口で心出しするための心出手段とを備え、前記カッター手段は、前記パンチ本体から所定の距離だけ延び、前記心出手段は、前記パンチ本体から所定の距離だけ延び、前記心出手段は、前記パンチ本体から、前記カッター手段よりも大きな距離延び、これにより、前記心出手段は、前記カッター手段がワークピースをカットすることに先行して、ワークピースの案内穴に入り、
前記カッター手段は、ワークピースを穿孔するための一対の穿孔部と、該穿孔部がワークピースを穿孔した後に、ワークピースを剪断するための一対のカッター部と、を備えており、前記心出手段は、前記パンチ本体に取り付けられるインサート部材を備え、前記パンチ本体は、そこを貫通した軸穴を有し、前記インサート部材は、前記パンチ本体の前記軸穴内に位置決めされていることを特徴とするパンチ。
【手続補正書】
【提出日】平成16年9月2日(2004.9.2)
【手続補正１】
【補正対象書類名】明細書
【補正対象項目名】発明の名称
【補正方法】変更
【補正の内容】
【発明の名称】半導体素子搭載用接着フィルム
【手続補正２】
【補正対象書類名】明細書
【補正対象項目名】特許請求の範囲
【補正方法】変更
【補正の内容】
【特許請求の範囲】
【請求項１】
半導体素子を基板に搭載するための接着フィルムであって、
（１）接着剤層のみからなる単層構造、
（２）コア材と、該コア材の表裏両面にそれぞれ形成された接着剤層とからなる２層構造、及び、
（３）ベースフィルムと、該ベースフィルム上に形成された接着剤層とを備える構造
のいずれかの構造を有し、
上記接着剤層は、動的粘弾性測定装置を用いて測定した場合の接着剤硬化物の貯蔵弾性率が２５℃で１０〜２０００ＭＰａ、２６０℃で３〜５０ＭＰａである接着剤からなることを特徴とする接着フィルム。
【請求項２】
上記接着剤層は、エポキシ基含有アクリル共重合体とエポキシ樹脂とを含有する熱硬化性樹脂からなることを特徴とする請求項１記載の接着フィルム。
【請求項３】
上記接着剤層は、エポキシ樹脂硬化剤を含むことを特徴とする請求項１記載の接着フィルム。
【請求項４】
上記エポキシ樹脂硬化剤は、アミン、ポリアミド、酸無水物、ポリスルフィッド、三弗化硼素及びフェノール性水酸基を１分子中に２個以上有する化合物のうちから選ばれることを特徴とする請求項３記載の接着フィルム。
【請求項５】
上記接着剤層は、エポキシ樹脂硬化促進剤を含むことを特徴とする請求項１記載の接着フィルム。
【請求項６】
上記接着剤層は、イミダゾール類を含むことを特徴とする請求項１記載の接着フィルム。
【請求項７】
上記イミダゾール類は、２−メチルイミダゾール、２−エチル−４−メチルイミダゾール、１−シアノエチル−２−フェニルイミダゾール、及び、１−シアノエチル−２−フェニルイミダゾリウムトリメリテートのうちから選ばれる化合物であることを特徴とする請求項６記載の接着フィルム。
【請求項８】
上記エポキシ基含有アクリル共重合体は、ガラス転移温度が−１０℃以上であることを特徴とする請求項２記載の接着フィルム。
【請求項９】
上記エポキシ基含有アクリル共重合体は、グリシジル（メタ）アクリレート２〜６重量％を含むアクリル系共重合体であることを特徴とする請求項２記載の接着フィルム。
【請求項１０】
上記エポキシ基含有アクリル共重合体は、重量平均分子量が８０万以上であることを特徴とする請求項２記載の接着フィルム。
【請求項１１】
上記接着剤層に含まれる残存溶媒量は５重量％以下であることを特徴とする請求項１記載の接着フィルム。
【請求項１２】
上記接着剤層は、示差熱量計を用いて測定した場合の全硬化発熱量の１０〜４０％の発熱を終えた状態である請求項１記載の接着フィルム。
【請求項１３】
上記接着剤層は、シランカップリング剤を含むことを特徴とする請求項１記載の接着フィルム。
【手続補正書】
【提出日】平成17年3月14日(2005.3.14)
【手続補正１】
【補正対象書類名】明細書
【補正対象項目名】発明の名称
【補正方法】変更
【補正の内容】
【発明の名称】薄膜トランジスタ、それを用いた液晶表示装置及びエレクトロルミネッセンス表示装置
【手続補正２】
【補正対象書類名】明細書
【補正対象項目名】特許請求の範囲
【補正方法】変更
【補正の内容】
【特許請求の範囲】
【請求項１】
絶縁体上に、チャネル領域、ＬＤＤ領域およびソース／ドレイン領域を有する半導体膜と、ゲート絶縁膜と、前記ゲート絶縁膜上に形成されたゲート電極と、前記半導体膜に接続されたソース電極およびドレイン電極とを具備する薄膜トランジスタにおいて、
前記ゲート電極が凹部および凸部を有し、前記ゲート電極の凹部に対して自己整合的に前記半導体膜のＬＤＤ領域が形成されていることを特徴とする薄膜トランジスタ。
【請求項２】
前記ゲート電極は単層膜からなる請求項１記載の薄膜トランジスタ。
【請求項３】
前記ゲート電極は第１の電極層および前記第１の電極層の上に形成された第２の電極層を少なくとも有する積層膜からなる請求項１記載の薄膜トランジスタ。
【請求項４】
前記第１の電極層は透光性導電膜であり、前記第２の電極層は金属膜である請求項３記載の薄膜トランジスタ。
【請求項５】
前記第１の電極層の下部には前記ゲート絶縁膜を介して前記半導体膜のチャネル領域およびＬＤＤ領域が形成され、前記第２の電極層の下部には、前記第１の電極層および前記ゲート絶縁膜を介して前記半導体膜のチャネル層が形成されている請求項３または４記載の薄膜トランジスタ。
【請求項６】
薄膜トランジスタと前記薄膜トランジスタのドレイン電極またはソース電極に接続された画素電極とを備え、前記薄膜トランジスタが請求項１から５のいずれかに記載の薄膜トランジスタである液晶表示装置。
【請求項７】
前記画素電極の少なくとも一部が透光性導電膜および金属膜の積層構造を有する請求項６記載の液晶表示装置。
【請求項８】
前記画素電極の積層構造が、ゲート電極の形成と同時に形成された請求項７記載の液晶表示装置。
【請求項９】
薄膜トランジスタと前記薄膜トランジスタのドレイン電極またはソース電極に接続された画素電極とを備え、前記薄膜トランジスタが請求項１から５のいずれかに記載の薄膜トランジスタであるエレクトロルミネッセンス表示装置。